(57)【要約】【課題】容易に取付可能で、不意に外れにくいコーナーカバーを提供する。【解決手段】四角バイプ形状の天枠部材２１を、ビス６１Ａ〜６１Ｃによって、側枠部材に固定する。ビス６１Ａ〜６１Ｃは、天枠部材２１の下板４２に設けた貫通孔を通って、側枠部材にねじ込まれる。天枠部材２１の上板４１には、貫通孔に対応する位置に、切欠き４７Ａ〜４７Ｃを設ける。コーナーカバー３０は、天枠部材２１の開口２１Ｅを覆うカバー部３１と、挿入片３２Ａ〜３２Ｃとを備える。挿入片３２Ａ〜３２Ｃの表面に、嵌合部３８Ａ〜３８Ｃを設ける。挿入片３２Ａ〜３２Ｃそれぞれの裏面に当接部を設ける。挿入片３２Ａ〜３２Ｃは、嵌合部３８Ａ〜３８Ｃが切欠き４７Ａ〜４７Ｃに嵌合するように、天枠部材２１の内部に挿入する。挿入片３２Ａ〜３２Ｃは、当接部を介して、ビス頭部によって上方に向けて押される。【選択図】図６
2010104879.tif 000002
【特許請求の範囲】
【請求項１】
フィルタ枠の一辺を構成し、互いに対向する第１及び第２の板と、互いに対向する両接続板とによって形成された、断面四角バイプ形状の第１の枠部材と、
フィルタ枠の他辺を構成し、その他辺方向における端面が前記第２の板の外面に当接することにより、前記第１の枠部材の一辺方向における端部に接続される第２の枠部材と、
軸部と頭部を有し、前記第１の枠部材を前記第２の枠部材に連結固定するための固定具と、
前記第２の枠部材に設けられ、前記固定具の軸部が挿入されるための受け部と、
前記第１の枠部材の前記端部の開口を覆うカバー部と、前記カバー部と一体に設けられ、その表面が前記第１の板の内面に当接しつつ、前記第１の枠部材の内部に前記開口から挿入されている挿入片とを有するコーナーカバーとを備え、
前記第１の枠部材の前記端部において、前記第２の板には貫通孔が設けられると共に、前記第１の板には、前記貫通孔に対応する位置に、前記一辺方向における端面から切り欠けられた切欠きが設けられ、
前記固定具は、その頭部が前記第２の板の内面を押さえつけるとともに、その軸部が前記貫通孔を通って前記第２の枠部材の受け部に挿入されて前記第１及び第２の枠部材を連結しており、
前記挿入片は、前記表面に前記切欠きに嵌合される嵌合部が設けられるとともに、前記表面の反対側の面である裏面の前記嵌合部に対応する位置に、前記頭部に当接する当接部が設けられ、前記当接部を介して前記頭部によって、前記第１の板の内面に押さえつけられていることを特徴とするフィルタ枠。
【請求項２】
前記挿入片は、前記開口に対向する前記カバー部の内面から突出していることを特徴とする請求項１に記載のフィルタ枠。
【請求項３】
前記当接部は、前記裏面に沿って広がり、かつその裏面より突き出た凸部であることを特徴とする請求項１に記載のフィルタ枠。
【請求項４】
前記挿入片の先端側の前記凸部の端部は、前記先端に向かうに従って前記裏面に近づくテーバー状であることを特徴とする請求項３に記載のフィルタ枠。
【請求項５】
前記カバー部は、前記開口を覆いつつさらに前記第２の枠部材の外面に沿うようにも設けられ、前記第１及び第２の枠部材の接続部分も覆うことを特徴とする請求項１に記載のフィルタ枠。
【請求項６】
前記カバー部は、前記第２の枠部材の外面とは離間しており、
前記カバー部の前記他辺方向における一方の端部において、前記カバー部から前記挿入片が突出しているとともに、前記他辺方向における他方の端部において、前記カバー部から前記第２の枠部材の外面に向かって突出する突片がさらに設けられることを特徴とする請求項５に記載のフィルタ枠。
【請求項７】
前記第１の枠部材の内部には、前記第１の板の内面にリブが設けられ、前記挿入片は、前記リブの側面および前記両接続板の一方の内面に当接することを特徴とする請求項１に記載のフィルタ枠。
【請求項８】
前記挿入片は、フィルタ枠の厚さ方向に沿って２つ設けられ、各挿入片は、前記接続板の内面および前記リブの側面に当接することを特徴とする請求項７に記載のフィルタ枠。
【請求項９】
前記第１の枠部材の内部には、前記第１の板の内面に設けられたリブが、フィルタ枠の厚さ方向に少なくとも２つ並べられ、前記挿入片は、前記２つのリブの側面のいずれにも当接することを特徴とする請求項１に記載のフィルタ枠。
【請求項１０】
前記挿入片は、前記両接続板のいずれにも当接することを特徴とする請求項１に記載のフィルタ枠。
【請求項１１】
前記挿入片と前記カバー部の成す角度は、９０°より小さいことを特徴とする請求項１に記載のフィルタ枠。
【請求項１２】
フィルタ枠の一辺を構成し、互いに対向する第１及び第２の板と、互いに対向する両接続板とによって形成された、断面四角バイプ形状の第１の枠部材と、
フィルタ枠の他辺を構成し、その他辺方向における端面が前記第２の板の外面に当接することにより、前記第１の枠部材の一辺方向における端部に接続される第２の枠部材と、
軸部と頭部を有し、前記第１の枠部材を前記第２の枠部材に連結固定するための固定具と、
前記第２の枠部材に設けられ、前記固定具の軸部が挿入されるための受け部とを備える
フィルタ枠に取り付けられるコーナーカバーにおいて、
前記第１の枠部材の前記端部の開口を覆うカバー部と、前記カバー部と一体に設けられ、その表面が前記第１の板の内面に当接しつつ、前記第１の枠部材の内部に前記開口から挿入されている挿入片とを備え、
前記第１の枠部材の前記端部において、前記第２の板には貫通孔が設けられると共に、前記第１の板には、前記貫通孔に対応する位置に、前記一辺方向における端面から切り欠けられた切欠きが設けられ、
前記固定具は、その頭部が前記第２の板の内面を押さえつけるとともに、その軸部が前記貫通孔を通って前記第２の枠部材の受け部に挿入されて前記第１及び第２の枠部材を連結しており、
前記挿入片は、前記表面に前記切欠きに嵌合される嵌合部が設けられるとともに、前記表面の反対側の面である裏面の前記嵌合部に対応する位置に、前記頭部に当接する当接部が設けられ、前記当接部を介して前記頭部によって、前記第１の板の内面に押さえつけられていることを特徴とするコーナーカバー。
【発明の詳細な説明】
【技術分野】
【０００１】
本発明は、エアフィルタのフィルタ枠に用いるコーナーカバーに関し、特に、枠板部材が断面四角パイプ形状を呈するフィルタ枠に取り付けられるコーナーカバーに関する。
【背景技術】
【０００２】
エアフィルタは、四角枠状に形成されたフィルタ枠の内部にひだ状に折られた濾材が配置されて構成される。フィルタ枠としては、四角形の各辺を構成する枠板部材が連結されたものが使用される。従来、枠板部材は、例えば特許文献１に示すように、その強度を向上させるために、対向する外板及び内板、並びに２つの接続板で構成される断面四角パイプ形状を呈する場合がある。
【０００３】
断面四角バイプ形状の枠板部材は、その中空内部に微粒子等の汚染物質を滞留させ、その滞留した汚染物質によって清浄空気を汚染するおそれがある。したがって、従来、中空内部に汚染物質が侵入することを防止するために、枠板部材の端面は、発泡部材等によって塞がれることがある。
【０００４】
また、枠板部材の連結は、ビスやリベットによって行われることが一般的である。例えば特許文献１では、一方の枠板部材にリベット穴が設けられるとともに、一方の枠板部材の端面が当接して接続される、他方の枠板部材の内板に貫通孔が設けられ、貫通孔およびリベット孔に挿入されたリベットによって２つの枠板部材が連結される。この場合、枠板部材の外板には、貫通孔に対応した位置にさらに貫通孔が設けられており、リベットは、この外板の貫通孔を通過させられた後、内板の貫通孔及びリベット穴に挿入される。このような外板の貫通孔は汚染物質の侵入を防止するために、開口部と同様に、発泡部材等によって塞がれることがある。
【特許文献１】特開２００８−２２１１８２号公報
【発明の開示】
【発明が解決しようとする課題】
【０００５】
しかし、発泡部材等によって開口部や貫通穴を塞ぐと、発泡部材自身が開口部から離脱して、清浄空気を汚染するおそれがあり、また、その発泡部材の詰め込み作業自体も、手間がかかることがある。特に、枠板部材の中空部の内部が、補強用のリブ等によって仕切られている場合、発泡部材が複数必要であるため、その作業性が著しく低下する。
【０００６】
そこで、本発明は、以上の問題に鑑みてなされたものであり、開口等を容易に塞ぐことができ、かつ枠板部材に取り付けられた後、枠板部材から不意に外れにくいコーナーカバーを提供することを目的とする。
【課題を解決するための手段】
【０００７】
本発明に係るフィルタ枠は、フィルタ枠の一辺を構成し、互いに対向する第１及び第２の板と、互いに対向する両接続板とによって形成された、断面四角バイプ形状の第１の枠部材と、フィルタ枠の他辺を構成し、その他辺方向における端面が第２の板の外面に当接することにより、第１の枠部材の一辺方向における端部に接続される第２の枠部材と、軸部と頭部を有し、第１の枠部材を第２の枠部材に連結固定するための固定具と、第２の枠部材に設けられ、固定具の軸部が挿入されるための受け部と、第１の枠部材の端部の開口を覆うカバー部と、カバー部と一体に設けられ、その表面が第１の板の内面に当接しつつ、第１の枠部材の内部に開口から挿入されている挿入片とを有するコーナーカバーとを備える。そして、第１の枠部材の端部において、第２の板には貫通孔が設けられると共に、第１の板には、貫通孔に対応する位置に、一辺方向における端面から切り欠けられた切欠きが設けられる。固定具は、その頭部が第２の板の内面を押さえつけるとともに、その軸部が貫通孔を通って第２の枠部材の受け部に挿入されて第１及び第２の枠部材を連結している。挿入片は、その表面に切欠きに嵌合される嵌合部が設けられるとともに、表面の反対側の面である裏面の嵌合部に対応する位置に、頭部に当接する当接部が設けられ、当接部を介して頭部によって、第１の板の内面に押さえつけられていることを特徴とする。
【０００８】
挿入片は、開口に対向するカバー部の内面から突出していることが好ましい。また、当接部は、挿入片の裏面に沿って広がり、かつその裏面より突き出た凸部であることが好ましい。そして、挿入片の先端側の凸部の端部は、先端に向かうに従って裏面に近づくテーバー状であったほうが良い。
【０００９】
カバー部は、開口を覆いつつさらに第２の枠部材の外面に沿うようにも設けられていたほうが良く、これにより、カバー部は、第１及び第２の枠部材の接続部分も覆うこととなる。この場合、例えば、カバー部は、第２の枠部材の外面と離間している。そして、カバー部の他辺方向における一方の端部において、カバー部から挿入片が突出しているとともに、他辺方向における他方の端部において、第２の枠部材の外面に向かって突片がカバー部から突出していたほうが良い。
【００１０】
第１の枠部材の内部には、例えば、第１の板の内面にリブが設けられる。この場合、挿入片は、リブの側面および両接続板の一方の内面に当接することが好ましい。さらには、挿入片は、フィルタ枠の厚さ方向に沿って２つ設けられていたほうが良い。この場合、各挿入片は、例えば、接続板の内面およびリブの側面に当接する。勿論、挿入片は、２つ以上設けられても良い。
【００１１】
第１の枠部材の内部には、例えば、第１の板の内面に設けられたリブが、フィルタ枠の厚さ方向に少なくとも２つ並べられる。この場合、挿入片は、２つのリブの側面のいずれにも当接する。また、挿入片は、両接続板のいずれにも当接していても良い。なお、挿入片とカバー部の成す角度は、９０°より小さいことが好ましい。
【発明の効果】
【００１２】
本発明によれば、コーナーカバーを簡単な作業で、フィルタ枠の枠部材に取り付けることができ、また枠部材に取り付けられたコーナーカバーを枠部材から外れにくくすることができる。
【発明を実施するための最良の形態】
【００１３】
次に、本発明の実施形態について図面を参照にしつつ説明する。
図１は、本発明の一実施形態に係るエアフィルタの斜視図である。本実施形態に係るエアフィルタ１０は、フィルタ濾材１１と、フィルタ濾材１１を内部に収納する四角枠状のフィルタ枠１２から構成される。フィルタ枠１２は、四角形の枠の各辺を構成する天枠部材２１、側枠部材２２、地枠部材２３、および側枠部材２４で構成され、これら枠部材２１〜２４それぞれは、フィルタ枠１２の各辺に沿って長く延びる。フィルタ枠１２の内部において、フィルタ濾材１１の前面には、金属板にパンチング加工されたガード部１３が設けられる。フィルタ濾材１１およびガード部１３は、接着剤等によって構成されるシール材によってフィルタ枠１２の内周面に接着されている。
【００１４】
枠部材２１、２３は、対向して互いに平行に配置され、それぞれの長手方向における一端部２１Ａ、２３Ａが、側枠部材２２の長手方向における両端部２２Ａ、２２Ｂそれぞれに接続される。また、第１及び第３の枠部材２１、２３の長手方向における他端部２１Ｂ、２３Ｂは、側枠部材２４の長手方向における両端部２４Ａ、２４Ｂそれぞれに接続される。両側枠部材２２、２４も、対向して互いに平行に配置されている。枠部材２１〜２４は、例えば、アルミニウム、亜鉛等の公知の金属材料、樹脂等によって形成される。
【００１５】
後述するように、天枠部材２１は、断面四角パイプ形状を有し、その両端部２１Ａ、２１Ｂの開口２１Ｅ（図２参照）は、コーナーカバー３０（図６参照）によって覆われている。地枠部材２３の両端部２３Ａ、２３Ｂも同様に断面四角パイプ形状を呈し、その端面もコーナーカバー３０によって覆われている。
【００１６】
以下、枠部材２１、２２の接続構造、及びこれらの接続部分に設けられるコーナーカバーについて説明するが、その他の枠部材の接続構造、およびコーナーカバーの構造も同様であるので、それらの説明は省略する。なお、以下の説明においては、天枠部材２１の長手方向を一辺方向Ｈ、側枠部材２２の長手方向を他辺方向Ｖとして説明し、フィルタ枠の厚さ方向を厚さ方向Ｄとして説明する。
【００１７】
まず、図２、３を用いて天枠部材２１の構造を説明する。天枠部材２１は、近接対向して互いに平行に配置される細長矩形の上板４１、下板４２と、これら板４１、４２の厚さ方向Ｄにおける端部同士を接続し、対向して互いに平行に配置される第１及び第２の接続板４３、４４とによって一体的に形成されている。これにより、天枠部材２１は、フィルタ枠１１の厚さ方向Ｄに長い断面矩形の中空四角パイプ形状を有する。天枠部材２１の厚さ方向Ｄにおける端部それぞれには、下板４２の下面（外面）４２Ｄからフィルタ枠１２の内側に向かって突出するガード部４９が設けられる。ガード部４９は、天枠部材２１の一辺方向Ｈにおける一端部２１Ａ近傍から他端部２１Ｂ近傍まで延びるが、一端部２１Ａ及び他端部２１Ｂには設けられていない。
【００１８】
第１の枠部材２１の内部には、上板４１の下面（内面）４１Ｄと、下板４２の上面（内面）４２Ｕを接続するリブ４５Ａ、４５Ｂが設けられる。リブ４５Ａ、４５Ｂそれぞれは、第１及び第２の接続板４３、４４に平行に設けられ、一辺方向Ｈに沿って延在しており、一端部２２Ａの端面２１Ｃから他端部２１Ｂの端面２１Ｄまで設けられる。第１の枠部材２１は、リブ４５Ａ、４５Ｂによって補強させられている。
【００１９】
天枠部材２１の端部２１Ａにおいて、下板４２には、３つの貫通孔４６Ａ、４６Ｂ、４６Ｃが設けられる。貫通孔４６Ａ、４６Ｂ、４６Ｃは、厚さ方向Ｄに沿って並んでおり、それぞれ、第１の接続板４３とリブ４５Ａの間、リブ４５Ａとリブ４５Ｂの間、リブ４５Ｂと第２の接続板４４の間の位置に配置される。なお、貫通孔４６Ａは、リブ４５Ａよりも第１の接続板４３に近い位置に配置されるとともに、貫通孔４６Ｃは、リブ４５Ｂよりも第２の接続板４４に近い位置に配置される。また、貫通孔４６Ｂとリブ４５Ａとの離間距離は、貫通孔４６Ｂとリブ４５Ｂとの離間距離に等しい。
【００２０】
端部２１Ａにおいて、上板４１には、貫通孔４６Ａ、４６Ｂ、４６Ｃに対応する位置に、切欠き４７Ａ、４７Ｂ、４７Ｃが設けられている。切欠き４７Ａ、４７Ｂ、４７Ｃは、上板４１の一辺方向Ｈにおける端面４１Ｅから切り欠けられている。切欠き４７Ａ、４７Ｂ、４７Ｃは、Ｕ字形状を呈する。なお、他端部２１Ｂにも同様に、貫通孔および切欠きが設けられるが、その構成は同様であるので、その説明は省略する。
【００２１】
次に、図４、５を用いて側枠部材の構造を説明する。側枠部材２２は、側板５１から構成される。フィルタ枠の内周面を構成する側板５１の内面５１Ｂの厚さ方向Ｄにおける両端には、フィルタ枠１２の内側に向かって突出するガード部５９が設けられる。また、フィルタ枠の外周面を構成する側板５１の外面５１Ａの厚さ方向Ｄにおける両端には、フィルタ枠１２の外側に突出する補強板部５８が設けられる。補強板部５８の先端には、さらに、厚さ方向Ｄに沿って内側に突出する突出部５７が形成されている。突出部５７、補強板部５８、およびガード部５９は、一端部２２Ａの端面２２Ｃから他端部２２Ｂ（図１参照）の端面（不図示）まで設けられている。
【００２２】
側板５１の外面５１Ａには、他辺方向Ｖにおける一端部２２Ａの端面２２Ｃから他端部２２Ｂの端面（不図示）まで延びるビス受け部５３Ａ、５３Ｂ、５３Ｃが設けられる。ビス受け部５３Ａ、５３Ｂ、５３Ｃは、厚さ方向Ｄに沿って等間隔に並べられている。ビス受け部５３Ａ、５３Ｂ、５３それぞれは、断面Ｃ字形状を呈し、ビスを挿入させるための他辺方向Ｖに延在する溝５４Ａ、５４Ｂ、５４Ｃが形成される。
【００２３】
ガード部４９、５９は、シール材がフィルタ枠１２の内周面に充填されるとき、シール材がフィルタ枠外部に漏れ出すのを防止する。天枠部材２１、側枠部材２２は、例えば、押し出し成型により成型される。但し、天枠部材２１に関しては、押し出し成型後、ガード部４９の一部（端部２１Ａ、２１Ｂに設けられた部分）が取り除かれている。
【００２４】
次に、図５〜７を用いて枠部材２１、２２の接続構造について説明する。側枠部材２２は、他辺方向Ｖにおける一方の端面２２Ｃが、下板４２の下面４２Ｄに当接することにより、第１の枠部材２１の端部２１Ａに接続される。このとき、溝５４Ａ〜５４Ｃそれぞれの上に、貫通孔４６Ａ〜４６Ｃが重ねられる。また、ガード部５９の端面５９Ｅ及び補強板部５８の端面５８Ｅは、ガード部４９が設けられていない、下面４２Ｄの厚さ方向Ｄにおける両端部に当接されるとともに、ガード部４９の端面４９Ｅは、ガード部５９の先端に当接され、ガード部４９、５９同士も接続されることとなる。但し、補強板部５８の先端および突出部５７は、下面４２Ｄには当接されず、図６に示すように、端面２１Ｃより外側に突き出ている。
【００２５】
図５、６に示すように、天枠部材２１は、ビス６１Ａ〜６１Ｃによって側枠部材２２に連結される。ビス６１Ａ〜６１Ｃそれぞれは、頭部６２Ａ〜６２Ｃと、ネジ溝が切られた軸部６３Ａ〜６３Ｃそれぞれを備える。ビス６１Ａ〜６１Ｃそれぞれは、頭部６２Ａ〜６２Ｃが下板４２の上面４２Ｕを押さえつけるとともに、その軸部６３Ａ〜６３Ｃが貫通孔４６Ａ〜４６Ｃを通って、溝５４Ａ〜５４Ｃの内部それぞれにねじ入れられており、これにより、天枠部材２１を側枠部材２２に固定する。なお、頭部６２Ａ〜６２Ｃは、上面４２Ｕよりも上方に突出するように配置される。
【００２６】
なお、ビス６１Ａ〜６１Ｃは、切欠き４７Ａ〜４７Ｃの内部を通過させられた後、貫通孔４６Ａ〜４６Ｃ、溝５４Ａ〜５４Ｃに挿入される。したがって、貫通孔４６Ａ〜４６Ｃおよび溝５４Ａ〜５４Ｃへのビス６１Ａ〜６１Ｃの挿入は、上板４１によって妨げられることはない。また、本実施形態では、側枠部材２２の端面２２Ｃは、ビスによる連結に加えて、濾材１１（図１参照）をフィルタ枠１２（図１参照）の内周面に接着するためのシール材によっても、下板４２に接着されている。したがって、枠部材２１、２２の接続部分からは、外面５１Ａに沿ってシール材１７が溢れ出ている。
【００２７】
次に、図６〜１１を用いてコーナーカバーについて具体的に説明する。
図６〜９に示すように、コーナーカバー３０は、カバー部３１と、カバー部３１と一体的に成形された第１〜第３の挿入片３２Ａ〜３２Ｃとを備える。カバー部３１は、平板状に形成され、端面２１Ｃの開口２１Ｅを覆いつつ、さらには突出部５７、５７の先端部５７Ｔ、５７Ｔの間に嵌め込まれるように配置されて、側板５１の外面５１Ａの一部に沿うようにも設けられる。すなわち、カバー部３１は、開口２１Ｅを覆うための開口カバー部３１Ａと、外面５１Ａの一部を覆うための外面カバー部３１Ｂとから構成される。
【００２８】
開口２１Ｅの厚さ方向Ｄにおける長さは、先端部５７Ｔ、５７Ｔ間の離間距離よりも長く、したがって、開口カバー部３１Ａの厚さ方向Ｄにおける両端３１Ｆ、３１Ｇそれぞれは、厚さ方向Ｄにおいて、外面カバー部３１Ｂよりも外側に突出している。開口カバー部３１Ａ及び外面カバー部３１Ｂは、いずれも略矩形に形成され、開口カバー部３１Ａの他辺方向Ｖにおける長さは、外面カバー部３１Ｂの他辺方向Ｖにおける長さより短い。図７に示すように、開口カバー部３１Ａの突出している両端３１Ｆ、３１Ｇは、側枠部材２２の突出部５７、５７の上に載置している。これにより、図７に示すように、突出部５７の外面５７Ａと、カバー部３１Ｂの外面３１Ｌとは同一平面上に配置される。
【００２９】
カバー部３１の他辺方向Ｖにおける他端（下端部３１Ｄ）は、軸部６３Ａ〜６３Ｃの先端よりも下方に配置され、ビス受け部５３Ａ〜５３Ｃにねじ入れられたビス６１Ａ〜６１Ｃは、カバー部３１によって完全に覆い隠されることとなる。また、接続部分から溢れ出たシール材１７も、カバー部３１によって覆い隠されることとなる。開口２１Ｅに対向する開口カバー部３１Ａの内面３１Ｍは、天枠部材２１の端面２１Ｃに当接している。ここで、端面２１Ｃは、内面３１Ｍの周縁３１Ｓに当接する。一方、外面カバー部３１Ｂの内面３１Ｎは、側板５１の外面５１Ａから離間して配置される（図８、９参照）。
【００３０】
図８に示すように、外面カバー部３１Ｂ（カバー部３１）の下端部３１Ｄには、内面３１Ｎから側板５１の外面５１Ａに向かって突出する突片３３が設けられる。突片３３は、下端部３１Ｄにおいて、厚さ方向Ｄにおける一端から他端まで設けられている。
【００３１】
突片３３には、その先端面３３Ｔから切り欠けられた切欠き３３Ａ〜３３Ｃが設けられている。切欠き３３Ａ〜３３Ｃそれぞれは、ビス受け部５３Ａ〜５３Ｃに対応した位置に設けられる。したがって、切欠き３３Ａ〜３３Ｃそれぞれの内部には、ビス受け部５３Ａ〜５３Ｃそれぞれが配置される。そして、突片３３の先端３３Ｔは、側板５１の外面５１Ａに当接或いは近接する。突片３３は、フィルタカバー３０を補強し、さらには運搬されるときに手が掛けられるための部材としても使用される。
【００３２】
図８、９に示すように、第１〜第３の挿入片３２Ａ〜３２Ｃは、同一平面上に沿って設けられ、それぞれが略矩形板形状を呈する。第１〜第３の挿入片３２Ａ〜３２Ｃは、厚さ方向Ｄに沿って間隙３４、３４を介して並べらており、第１〜第３の挿入片３２Ａ〜３２Ｃそれぞれは、上端部３１Ｕ（他辺方向Ｖにおけるカバー部３１の一端）において、内面３１Ｍから突出している。図６、７から明らかなように、第１〜第３の挿入片３２Ａ〜３２Ｃは、それぞれの表面３６Ａ〜３６Ｃが、上板４１の下面４１Ｄに当接しつつ、天枠部材２１の内部に挿入されている。
【００３３】
第１〜第３の挿入片３２Ａ〜３２Ｃそれぞれは、表面３６Ａ〜３６Ｃの反対側の面である裏面３７Ａ〜３７Ｃと、内面３１Ｍとの成す角度α（図１１参照）が９０°より小さい角度となるように、内面３１Ｍから突出している。角度αは例えば８０〜８９°、好ましくは８５〜８６°である。フィルタカバー３０は、例えば、プラスチックによって成形されており、第１〜第３の挿入片３２Ａ〜３２Ｃは、カバー部３１に対して、上下に弾性変形可能である。
【００３４】
次に、図３、８、９を参照にして説明すると、第１の挿入片３２Ａの厚さ方向Ｄにおける長さは、第１の接続板４３の内面４３Ｎと、その内面４３Ｎに対向するリブ４５Ａの側面との離間距離に略等しい。第２の挿入片３２の厚さ方向Ｄにおける長さは、互いに対向するリブ４５Ａ、４５Ｂの側面同士の離間距離に略等しい。また、第３の挿入片３２Ｃの厚さ方向Ｄにおける長さは、第２の接続板４４の内面４４Ｎと、その内面４４Ｎに対向するリブ４５Ｂの側面との離間距離に略等しい。
【００３５】
第１〜第３の挿入片３２Ａ〜３２Ｃは、間隙３４、３４それぞれにリブ４５Ａ、４５Ｂが嵌め入れられるように、天枠部材２２の内部に挿入されている。すなわち、第１の挿入片３２Ａは、第１の接続板４３とリブ４５Ａの間に、第２の挿入片３２Ｂはリブ４５Ａ、４５Ｂの間に、第３の挿入片３２Ｃは、リブ４５Ｂと第２の接続板４４の間に挿入されている。
【００３６】
これにより、第１の挿入片３２Ａは、その厚さ方向Ｄにおける両端面それぞれが、第１の接続板４３の内面４３Ｎとリブ４５Ａの側面に当接している。また、第２の挿入片３２Ｂは、厚さ方向Ｄにおける両端面それぞれが、リブ４５Ａ、４５Ｂそれぞれの側面に当接している。さらに、第３の挿入片３２Ｃは厚さ方向Ｄにおける両端面それぞれが、リブ４５Ｂの側面と第２の接続板４４の内面４４Ｎそれぞれに当接している。
【００３７】
図６、９に示すように、第１〜第３の挿入片３２Ａ〜３２Ｃの表面３６Ａ〜３６Ｃには、第１〜第３の嵌合部３８Ａ〜３８Ｃそれぞれが設けられている。第１〜第３の嵌合部３８Ａ〜３８Ｃそれぞれは、表面３６Ａ〜３６Ｃに沿って広がりかつ表面３６Ａ〜３６Ｃから僅かに上方に突き出た凸部である。第１〜第３の嵌合部３８Ａ〜３８Ｃは、第１〜第３の挿入部３２Ａ〜３２Ｃとともに、開口カバー部３１Ａの内面３１Ｍに連設している。ここで、嵌合部３８Ａ〜３８Ｃは、周縁部３１Ｓに連設され、嵌合部３８Ａ〜３８Ｃの表面は、開口カバー部３２Ａの上端面３２Ｈと同一平面上に配置される。
【００３８】
第１〜第３の嵌合部３８Ａ〜３８は、切欠き４７Ａ〜４７Ｃそれぞれに一致した形状を有し、切欠き４７Ａ〜４７Ｃに嵌合される。すなわち、各嵌合部３８Ａ〜３８Ｃは、Ｕ字形を呈し、内面３１Ｎに連設する矩形部３８Ｄと、矩形部３８Ｄの端部に連設される半円部３８Ｅとから成り、半円部３８Ｅが各嵌合部の先端を構成する。第１〜第３の嵌合部３８Ａ〜３８Ｃの先端は、第１〜３の挿入片３２Ａ〜３２Ｃの先端よりも内面３１Ｍに近い位置に配置されている。
【００３９】
図８、１０に示すように、第１〜第３の挿入片３２Ａ〜３２Ｃの裏面３７Ａ〜３７Ｃそれぞれには、第１〜第３の嵌合部３８Ａ〜３８Ｃに対応する位置に、第１〜第３の当接部３９Ａ〜３９Ｃが設けられる。第１〜第３の当接部３９Ａ〜３９Ｃそれぞれは、裏面３７Ａ〜３７Ｃそれぞれに沿って広がり、かつそれぞれの裏面３７Ａ〜３７Ｃから僅かに下方に突き出た凸部である。第１〜第３の当接部３９Ａ〜３９Ｃは、第１〜第３の挿入片３２Ａ〜３２Ｃとともに、開口カバー部３１Ａの内面３１Ｍに連設している。
【００４０】
第１〜第３の当接部３９Ａ〜３９Ｃは、略矩形形状又は方形形状を呈し、その先端４０Ａ〜４０Ｃが、挿入片３２Ａ〜３２Ｃそれぞれの先端と一致した位置に配置されている。先端４０Ａ〜４０Ｃそれぞれは、挿入片３２Ａ〜３２Ｃの先端に向かうに従って裏面３７Ａ〜３７Ｃに近づくテーパー状に形成される。第１〜第３の当接部３９Ａ〜３９Ｃにおいて、先端４０Ａ〜４０Ｃ以外の部分の表面は、裏面３７Ａ〜３７Ｃに平行な平面状に形成され、ビスの頭部６２Ａ〜６２Ｃを十分に押圧可能なように形成される。
【００４１】
各挿入片３２Ａ〜３２Ｃにおいて、裏面３７Ａ〜３７Ｃの厚さ方向Ｄにおける両端部の近傍部分それぞれは、三角形或いは台形の補強部３２Ｘによって、開口カバー部３１Ａの内面３１Ｍに接続されている。これにより、各挿入片３２Ａ〜３２Ｃの強度が向上させられている。挿入片３２Ａ〜３２Ｃ、当接部３９Ａ〜３９Ｃ、および補強部３２Ｘは、開口カバー部３１Ａにおいて、周縁部３１Ｓを避けるように、内面３１Ｍに連設される。また、図９に示すように、突片３３も、複数の三角形の補強部３３Ｘによって、外面カバー部３１Ｂの内面３１Ｎに接続され、突片３３が補強されている。
【００４２】
図６、７から明らかなように、フィルタカバー３０が天枠部材２１に取り付けられるとき、挿入片３２Ａ〜３２Ｃは、嵌合部３８Ａ〜３８Ｃが、切欠き４７Ａ〜４７Ｃに嵌め入れられつつ、天枠部材２１に挿入される。これにより、嵌合部３８Ａ〜３８Ｃは、挿入片３２Ａ〜３２Ｃが挿入されるときの位置決め部材となり、挿入片３２Ａ〜３２Ｃを天枠部材２１の定められた位置に挿入させる。また、嵌合部３８Ａ〜３８Ｃは、挿入片３２Ａ〜３２Ｃを一辺方向Ｈに沿って直線的に、天枠部材２１の内部に挿入させるための案内部材にもなり、フィルタカバー３０が傾いて取り付けられることが防止される。
【００４３】
同様に、各挿入片３２Ａ〜３２Ｃが天枠部材２１の内部に挿入されるとき、挿入片３２Ａ〜３２Ｃの厚さ方向Ｄにおける両端も、接続板４３、４４の内面４３Ｎ、４４Ｎ、又はリブ４５Ａ、４５Ｂの側面に当接される。すなわち、これらリブ４５Ａ、４５Ｂおよび接続板４３、４４も、挿入片３２Ａ〜３２Ｃが挿入されるときの位置決め部材および案内部材となる。
【００４４】
挿入片３２Ａ〜３２Ｃが天枠部材２１に挿入されるとき、挿入片３２Ａ〜３２Ｃは裏面側から、当接部３９Ａ〜３９Ｃを介して、ビスの頭部６２Ａ〜６２Ｃによって押圧され、表面側から上板４１の下面４１Ｄによって押圧される。したがって、挿入片３２Ａ〜３２Ｃは、天枠部材２１の内部に、比較的大きな力で押し込む必要がある。しかし、本実施形態では、当接部３９Ａ〜３９Ｃの先端４０Ａ〜４０Ｃは、上記したようにテーパー状になっているので、挿入片３２Ａ〜３２Ｃを天枠部材２１の内部に挿入させるときの抵抗を低減でき、挿入片３２Ａ〜３２Ｃの天枠部材２１への挿入を比較的容易にすることできる。
【００４５】
一方、天枠部材２１に挿入された挿入片３２Ａ〜３２Ｃは、当接部３９Ａ〜３９Ｃを介してビスの頭部６２Ａ〜６２Ｃによって、上板４１の下面４１Ｄに押さえつけられることとなる。このような頭部６２Ａ〜６２Ｃの押さえつけにより、フィルタカバー３０は、天枠部材２１に確実に固定され、抜け落ち等が防止される。
【００４６】
また、天枠部材２１（特に、上板４１）と側板５１が９０°で接続される一方、挿入片３２Ａ〜３２Ｃとカバー部３１の成す角度αはその接続角度（９０°）より小さい。したがって、挿入片３２Ａ〜３２Ｃは、天枠部材２１の内部において、上板４１に対して僅かに下方に傾くこととなる。そのため、天枠部材２１の内部において、挿入片３２Ａ〜３２Ｃは、ビスの頭部６２Ａ〜６２Ｃから押圧されやすくなり、フィルタカバー３０の天枠部材２１への固定をより確実にすることができる。
【００４７】
以上のように、本実施形態では、天枠部材２１は、ビス６１Ａ〜６１Ｃを通過させるための貫通穴（切欠き４７Ａ〜４７Ｃ）を、天枠部材２１の開口２１Ｅに接続一体化して、これらを１つのコーナーカバー３０によって覆っている。したがって、開口部２１Ｅ等の隙間を塞ぐ作業を簡素化することが可能である。また、上板４１の上面４１Ｕにおいて、切欠き４７Ａ〜４７Ｃによって生じる段差がなくなると共に、ビス６１Ａ〜６１Ｃや漏れ出したシール材１７がコーナーカバー３０によって隠されるので、フィルタ枠１２の見栄えを良くすることができる。
【００４８】
また、本実施形態では、当接部３９Ａ〜３９Ｃにより、挿入片３２Ａ〜３２Ｃが天枠部材２１の内部に確実に固定されるので、コーナーカバー３０は、取り付けられ後、天枠部材２１から不意に離脱されることが防止される。
【００４９】
さらに、金属で構成される天枠部材２１の端面が、フィルタカバー３０で覆われているので、天枠部材２１の端面によって運搬者の手等に怪我をさせることが防止される。加えて、フィルタカバー３０の突片３３に手を掛けて、エアフィルタを運搬することが可能になるので、エアフィルタの運搬性も向上させることができる。
【００５０】
本実施形態においては、枠部材２１、２２を連結するための固定具としては、側枠部材２２に設けられた受け部に挿入する軸部と、下板４２の上面４２Ｕの上に配置される頭部とを有するものであれば、ビス以外のものも使用することができる。例えば、固定具としては、ビスの代わりにリベット等も使用可能である。
【００５１】
さらに、天枠部材２１の内部に設けられるリブの数は、特に限定されるものではなく、１つ以上であればいくつでも良い。この場合、挿入片の数はリブの数に応じて設定される。また、天枠部材２１の内部には、リブが設けられなくても良い。この場合、コーナーカバー３０に設けられる挿入片は１つとなり、その１つの挿入片の厚さ方向における両端部それぞれは、第１及び第２の接続板４３、４４の内面４３Ｎ、４４Ｎに当接することとなる。
【図面の簡単な説明】
【００５２】
【図１】本発明の一実施形態に係るエアフィルタを示す正面図である。
【図２】天枠部材を下面側から見た平面図である。
【図３】天枠部材の正面図である。
【図４】側枠部材の正面図である。
【図５】天枠部材と側枠部材の接続部分の分解斜視図である。
【図６】天枠部材と側枠部材の接続部分と、コーナーカバーを示す斜視図である。
【図７】コーナーカバーが取り付けられた、天枠部材と側枠部材の接続部分を示す斜視図である。
【図８】コーナーカバーを裏側から見た斜視図である。
【図９】コーナーカバーを表側から見た斜視図である。
【図１０】コーナーカバーを裏側から見た正面図である。
【図１１】コーナーカバーの側面図である。
【符号の説明】
【００５３】
１２  フィルタ枠
２１  天枠部材（第１の枠部材）
２１Ａ  一端部
２１Ｃ  端面
２１Ｅ  開口
２２  側枠部材（第２の枠部材）
２２Ａ  一端部
２２Ｃ  端面
３０  コーナーカバー
３１  カバー部
３２Ａ〜３２Ｃ  挿入片
３３  突片
３８Ａ〜３８Ｃ  嵌合部
３９Ａ〜３９Ｃ  当接部
４０Ａ〜４０Ｃ  当接部の先端
４１  上板（第１の板）
４２  下板（第２の板）
４７Ａ〜４７Ｃ  切欠き
５３Ａ〜５３Ｃ  ビス受け部
６１Ａ〜６１Ｃ  ビス
６２Ａ〜６２Ｃ  頭部
６３Ａ〜６３Ｃ  軸部
Ｄ  フィルタの厚さ方向
Ｈ  一辺方向
Ｖ  他辺方向
【図１】
2010104879.tif 000003
【図２】
2010104879.tif 000004
【図３】
2010104879.tif 000005
【図４】
2010104879.tif 000006
【図５】
2010104879.tif 000007
【図６】
2010104879.tif 000008
【図７】
2010104879.tif 000009
【図８】
2010104879.tif 000010
【図９】
2010104879.tif 000011
【図１０】
2010104879.tif 000012
【図１１】
2010104879.tif 000013